(57)【特許請求の範囲】
【請求項１】
横方向のブレース（６）および柱（１）を備え、前記柱（１）は柱軸に関して柱（１）の外側面から半径方向に延びる少なくとも１つの突起（２）を有し、前記突起（２）は、前記ブレース（６）の端部に配設したフック（７）が上方向から導入可能な開口部（４）を有し、前記ブレースの端部に、前記柱軸に関して鋭角に変位可能なくさび（４７）を有し、該くさび（４７）は、前記フック（７）を前記開口部（４）に導入した後は、前記開口部（４）よりも下側で前記フックの輪郭から十分に離隔した展開位置へ移動して、前記ブレースの端部の前記開口部（４）を通る上方向への移動を阻止する足場継手形成用アセンブリにおいて、前記くさび（４７）の下端部（４８）が、前記フック（７）の前記開口部（４）への完全な導入前に前記フック（７）の輪郭を越えて側方向に突出し、もって、この端部が、前記フック（７）を前記開口部（４）に導入する際に前記開口部（４）の縁（４９）に着座し、且つ前記フックが更に導入される際に、上方向に変位可能であることを特徴とする足場継手形成用アセンブリ。
【請求項２】
前記開口部（４）の長さの半径方向の寸法（４０）は、前記開口部（４）に導入可能な前記フック（７）の部分によって呈示される最大半径方向寸法プラス前記くさびの端部（４８）が前記くさび（４７）の最上位置で前記フック（７）の輪郭を越えて側方向に突出する寸法よりも大きいことを特徴とする請求の範囲第１項記載のアセンブリ。
【請求項３】
前記くさび（４７）は、その導入位置において下方向の動きに抗して前記ブレースの端部内に保持されることを特徴とする請求の範囲第１項又は第２項記載のアセンブリ。
【請求項４】
前記フック（７）は、前記開口部（４）の縁（５２）と共働する傾斜面（５１）を備え、該傾斜面（５１）は、前記フック（７）を前記開口部（４）を介して導入する際に前記ブレースの端部を前記柱（１）側に変位させることを特徴とする請求の範囲第１項乃至第３項のいずれか１項に記載のアセンブリ。
【請求項５】
前記フック（７）の前記傾斜面（５１）の上方部分（５３）は、前記柱（１）に着座するための前記フック（７）の面（８）に略平行に延びることを特徴とする請求の範囲第１項乃至第４項のいずれか１項に記載のアセンブリ。
【請求項６】
前記くさび（１２，１４）は重力のみによりその展開位置に移動することができることを特徴とする請求の範囲第１項乃至第５項のいずれか１項に記載のアセンブリ。
【請求項７】
バネが前記くさびに係合して該くさびをその展開位置に移動させようとすることを特徴とする請求の範囲第１項乃至第５項のいずれか１項に記載のアセンブリ。
【請求項８】
前記くさびは、２つの互いに共働して滑動する面間のセルフロッキング効果によりその展開位置に保持されることを特徴とする請求の範囲第１項乃至第７項のいずれか１項に記載のアセンブリ。
【請求項９】
前記展開位置において、前記くさび（４７）の側面が、上方向への動きに対してセルフロックするようにして前記開口部（４）の前記内縁（５２）に着座することを特徴とする請求の範囲第１項乃至第８項のいずれか１項に記載のアセンブリ。
【請求項１０】
前記くさび（４７）は、少なくとも前記展開位置において、回動動作に抗して固定的に保持されることを特徴とする請求の範囲第１項乃至第９項のいずれか１項に記載のアセンブリ。
【請求項１１】
前記くさび（４７）は、前記フック（７）を構成する部品の溝（４６）内で案内されることを特徴とする請求の範囲第１項乃至第１０項のいずれか１項にアセンブリ。
【請求項１２】
前記くさび（４７）は、前記ブレースの端部の溝（１１）内で案内されることを特徴とする請求の範囲第１項乃至第１１項のいずれか１項に記載のアセンブリ。
【請求項１３】
前記くさび（４７）は、前記ブレースの端部内に恒久的に保持されることを特徴とする請求の範囲第１項乃至第１２項のいずれか１項に記載のアセンブリ。
【請求項１４】
前記ブレースは中空部を有し、前記くさびは、前記くさびが前記中空部の少なくとも１つの壁内の開口部に対して移動するときに前記中空部の壁の内面に着座する少なくとも１つの突起を有することを特徴とする請求の範囲第１項乃至第１３項のいずれか１項に記載のアセンブリ。
【請求項１５】
前記くさびは、前記中空部の内部空間において、横方向のボルトが取りはずし可能に導入可能な開口部を有し、前記中空部の少なくとも１つの壁が前記横方向のボルトを前記くさびの前記開口部に導入するための開口部を有することを特徴とする請求の範囲第１４項記載のアセンブリ。
【請求項１６】
前記くさびは、その導入位置に取りはずし可能に保持されることを特徴とする請求の範囲第１項乃至第１５項のいずれか１項に記載のアセンブリ。
【請求項１７】
前記くさび（４７）は、前記ブレース（６）の縁を越えて移動可能で、前記くさび（４７）を持ち上げられた位置に保持する凹部（４３）を有することを特徴とする請求の範囲第１６項記載のアセンブリ。
【請求項１８】
前記くさび（４７）は、ブレース（６）の中空部の内部空間に回動して入らないように保持されることを特徴する請求の範囲第１項乃至第１７項のいずれか１項に記載のアセンブリ。
【発明の詳細な説明】
本発明は、横方向のブレースおよび柱を備え、前記柱は柱軸に関して柱の外側面から半径方向に延びる少なくとも１つの突起を有し、前記突起は、前記ブレースの端部に配設したフックが上方向から導入可能な開口部を有し、変位可能なくさびが前記ブレースの端部に、前記柱軸に関して鋭角に配置され、該くさびは、前記フックを前記開口部に導入した後は、前記開口部よりも下側で前記フックの輪郭から十分に離隔して、前記ブレースの端部の前記開口部を通る上方向への移動を阻止する（展開位置）足場継手形成用アセンブリに関する。
フランス国特許公報２  ４８３  ９９４における図１によって当該分野で公知のこの種の足場継手においては、くさびの端部が開口部に係合してフックに対する移動を容易にするが、この開口部にフックが貫通する間くさびの前端部によって描かれる進路には突合面が存在しない。フックは、くさびの下端部が突起の開口部の下に進入したときにのみその導入位置から離れて進むことができる。しかしながら、くさびがこの位置においても、その後のフックの開口部への更なる導入時においても、その導入位置から離れて進まないことがしばしばあった。これは、フック内でくさびを案内するときの抵抗が汚れのために大きくなって、くさびがフックの輪郭を越えて自動的に突出できないためである。この場合、くさびの展開位置への動作を、くさびの上端への打撃によって開始或いは実施しなければならない。開口部を貫通するフックの部分の柱と反対側の面と、柱に突き合うフックの面との離間距離は、突起の開口部の柱と対向する前面と柱との離間距離にほぼ対応し、従ってフックを開口部に導入する際に、くさびの下端部は突き合せ面又は着座面に進むことができず、このため、フックの開口部への導入の間、くさびが引き止められてしまう。更に、柱の面からの上記離間距離は、導入位置でのくさびを含むフックの幅よりもほんのわずか大きいにすぎないので、フックを開口部に導入するときにはフックは柱の面にすでに着座していなければならない。しかし、このためには、フックを開口部へ導入する以前にフックを開口部の上方に正確に位置させなければならず、このために、フックを足場継手から離れて位置するブレースの端部から開口部に導入することが著しく困難となっている。
従って、本発明の目的は、従来の足場継手を、開口部への導入とブレースの柱への取付けが、従来の足場継手に比較して十分に簡単に行えるように改良することである。
本発明によれば、この目的は、フックの開口部への完全な導入前にくさびの下端部がフックの輪郭を越えて側方向に突出し、これにより、この端部が、フックを開口部に導入する際に開口部の縁に着座し、且つフックの更なる導入の間上方向に変位可能である構成により達成される。
本発明は汚れの影響を比較的受けにくいという利点を有する。くさびは、ブレース端部の開口部への導入前に展開位置を執ることができ、作業者はくさびを押してこの位置に至らせてくさびの滑動特性を点検したり、また必要に応じて改良することが可能である。フックを開口部に導入する際、くさびはブレース端部の重量に応じた力によってその最上位置にまで変位する。くさびは、フックを導入する際にくさびの下端部が開口部の前面を通過した後に、より低い位置（展開位置）に移動することができる。
ブレースは、足場継手から離れて位置する端部から、上方向から柱の開口部内に導入することができ、くさびは、フックを開口部に導入するのを容易にする位置（導入位置）においては、開口部を囲繞する突起の縁部分との接触により移動する。フックを開口部に貫通させた後は、くさびは、ひとりでに、又は圧力により、又はくさび上端への打撃により、フックの輪郭から十分に離隔した位置に移動するので、この展開位置においてはフックとくさびは上方向への動作に応じて開口部を貫通することができず、くさびは、例えばハンマーの打撃などの下方からくさびの下端部に直接加えられた力によってのみ、この展開位置からはずれることが可能である。ブレースに下方から加えられた打撃は、くさびを展開位置から導入位置に移動させることはできない。この導入位置では、くさびはフックの輪郭から離隔しておらず、上方向への移動を阻止し、フックと共に開口部を上方向に貫通し、そこから脱出する可能性もある。くさびが展開位置にあり、ブレース端部が開口部に導入されているときは、くさびにだけ下方から加えられた力のみが、くさびをフックに対して移動させ、その展開位置を離れることを可能にする。
本発明の実施例においては、アセンブリは、展開位置におけるくさびの上方向への変位がくさび自体の重量とフック内での案内時の摩擦抵抗にのみ抗して行われるように構成することができる。これに代えて、くさびを展開位置まで滑動させる時、セルフロッキング作用が２つの共働する滑動面の間に生じ、該作用は、くさびに対する前述の上方向への駆動力によってのみ克服することができる。
柱に対向するフックの面に関して、くさびが展開位置に展開する角度、即ち上述の鋭角は、ブレースの端部にかかる上方向への力の影響によって、くさびが開口部の縁又は前面から押し戻され得ないような値に選択される。このようにすると、セルフロッキング作用はくさびとその案内要素の２つの共働する面及び／又は開口部の前面との間に作用する。
ブレースの端部を開口部に導入する際には、くさびの下端部とフックが開口部を貫通した後、くさびは重力によってのみ展開位置に移動することが可能である。本発明の他の実施例では、この動作はくさびと係合するバネによって支持される。
本発明の一実施例においては、開口部の長さの半径方向の寸法は、開口部に挿入可能なフックの部分の最大半径方向寸法プラス最上位置にあるくさびの端部がフックの輪郭を越えて側方向に突出する寸法よりも大きい。このようにして、ブレースの端部は、フックの開口部への導入の間又は後に柱に向かって半径方向に押し続けることが可能であり、この押圧の間又はブレースのフックが着座した後、くさびは開口部を通って展開位置まで滑動し、この位置でこの動作をくさびの上端面への打撃により開始又は支持することができる。
本発明のアセンブリにおいては、作業者は最初にブレースをフックを開口部に挿入して懸架することができるので、ブレースはこの位置ですでに暫定的に取付けられ、従って、必要に応じて、足場のこの部分を歩くことが可能であり、これに引き続き、ブレースの端部を柱側に押すことにより、くさびは下方向に落下するか、或いは上端に加えられる打撃により、展開位置に案内されてこの位置にブレースを固定する。開口部への導入の間、フックはこの導入を容易にかつ簡易に行うのに十分な空間を有する。
本発明の一実施例において、フックは柱に対向する側に、柱に着座する面を有し、該着座面は柱の軸方向に有利に移動する。
本発明のこの実施例において、ブレースの端部を柱の開口部に導入する時、ブレースの端部の前面は柱の外面にすで隣接している。くさびを上から緊密に叩くことにより、くさび面は柱と反対側の開口部の内側縁に着座し、ブレースの端部を柱側に押すので、少なくともこの時に、足場継手は必要な張力、圧縮力及び剛性を有する。
しかしながら、くさびを他の方法により案内して移動させることも可能で、例えば、くさびの表面は偏心した形状等を有することができる。
開口部の縁がくさびを開口部の貫通を容易にする位置に押し戻すのを防止するセルフロッキング作用は、くさびの種々の面がブレースの端部の面に着座することにより行われる。本発明の一実施例においては、開口部の内縁の面とこれに隣接するくさびの面との間にセルフロッキング作用が生じる。セルフロッキング効果はくさびの他の面がブレースの端部の他の面に着座することによっても達成可能である。例えば、柱に対向するくさびの面がブレースの端部の対応する面に着座することによって、また例えば、同時に案内面として作用する２つの離隔した面であって、例えば、くさびを打撃することにより、くさびによって、柱に剛固に結合された開口部の縁とブレースの端部との間に生じたくさび力を受容する２つの離隔した面の着座によって達成可能である。
くさびが展開位置にあるときにブレースの端部を持ち上げようと試みる間に開口部縁により展開状態のくさびに加えられる力は、セルフロッキング効果によって生じた結合力を増大させるので、ブレースの端部の上方向への移動は不可能となる。
セルフロッキング特性を有する本発明の実施例において、くさびは、柱の開口部への係合によってブレースの端部を柱に剛固に取付ける課題を解決するばかりでなく、くさびが緊密に着座しているか否かにかかわらずセルフロッキング作用が生じる程度に、くさびが所定位置に駆動されていないときでも、ブレースの端部が開口部から抜け出ることを防止する課題を解決する。
展開位置においては、柱から最も離隔しているくさびの縁の部分と、柱に対向するフックの縁との離間距離は、柱に対向する開口部の内縁と、この内縁の真向いの開口部を画成する面との間の対応する寸法よりも長い。本発明の実施例においては、柱から最も離隔しているくさびの縁のこの部分はその下端部の近傍に位置し、該下端部は、開口部を貫通するのを容易にするように幾分くさび状に先細になっている。展開位置において柱から最も離隔しているこの部分は、本発明の実施例においては、柱と反対側のくさびの縁から突出するストッパとして形成することもでき、このストッパは、ブレースの端部を開口部に導入したときに、開口部の縁と突き合って、くさびを開口部を貫通するのを容易にする導入位置に押し戻す。フックを開口部を通って下方に下げると、くさびは、くさびの下端が開口部の縁と突き合っている場合のみならず、上述の場合にも、開口部の縁に対してほぼ直角な動き成分をもって、開口部の縁領域から開口部内にフックに相対して移動して導入位置に至る
本発明のその他の特徴は、請求の範囲及び図面に関連する実施例の以下の説明から導き出すことができる。本発明の実施例において、個々の特徴を個別にまたは集合的に実現することができる。
本発明の実施例を図面に表わす。
図１は、本発明の一実施例におけるブレースの一端部及び柱の一部分を示す。
図２は、ブレースの一端部の一例の縦断面を示す。
図３は、図２の直線III−IIIの断面を示す。
図４は、ブレースの一端部の一例を平面図を示す。
図５は、柱を含む他の実施例における図２に対応する断面を示す。
図６は、第３の実施例における図５に対応する断面を示す。
図１乃至図４に示した本発明の実施例において、柱１は丸い断面を有するパイプからなり、このパイプにロゼット２が溶接部３によって取り付けられる。図示した実施例においては、ロゼット２は柱１の外周部まで延びる４つの開口部４を有する。追加の足場部品の取り付けを容易にするために、ロゼット２に穴部５を設けてもよい。図示した実施例において、中空で丸または矩形の形状を有するブレース６が、垂直に互いに離隔して配置された複数の柱１同士を接続する。錬鉄部材から製造可能であるフック７が、柱１に対向する端部の中空部分に取り付けられる。フック７は柱１に対向する側面に着座面８を有し、該着座面８は柱１の外周部に着座するように作用する。フック７は、柱１と反対側面に、斜めの又はくさび形の面９を有し、該面９は、フック７を上方向から開口部４に導入する間、ブレースの端部を案内する。面９は、フック７が開口部４内に完全に導入されたとき、開口部４の反柱１側端部に位置する開口部４の内縁１０に着座するように形成される。しかしながら、面９は、ブレースの端部又はフック７が開口部４に完全に挿入したときに内縁１０からわずかに離隔するようにしてもよい。図示した本発明の実施例においては、フック７の長さは図２のブレース６の高さの略２倍であり、従って着座面８は柱１とブレース６との間の堅固な接続を保証するに十分な長さを有する。
フックを構成する錬鉄片は、溶接又は他の方法でブレース６の中空部分の端部に取り付けられると共に、頂部から底部まで延びる溝１１を有する。図示した本発明の実施例においては、溝１１は、フックの端部からフックの長さの略１／４に対応する距離だけ離間して傾斜面９で終端する。くさび１２がこの溝１１内に縦方向に変位可能に案内される。図２に示した実施例においては、溝の底部を形成する内側前面１３は、くさび面１６用の案内面１４と、溝の上端部の案内面１５とを備える。くさび１２の縦方向の運動は着座面８の平面に対して小さい鋭角を形成する方向に行われる。くさび１２は柱１に対向する下側前面１６と上側面１７によって案内面１４，１５上に着座する。くさび１２は、ブレース６の下側壁２１の開口部２０と上側壁２３の開口部２２内で、面１６，１７と反対側の縁面１８，１９によって、ゆとりをもって案内される。
くさび１２は柱１と反対側の側面に突起２４を有し、該突起２４はピン２６が着脱自在に挿入可能な目穴２５を有する。ブレース６の両側面には開口部２７が形成され、この開口部２７を通してピン２６が目穴２５内に導入可能である。
図２の上側開口部２２は、ピン２６を目穴２５から取りはずすときにくさび１２を溝１１から上方に引き抜き得る程に十分な大きさを有する。即ち、開口部の長さは突起２４を通過させるのに十分な長さである。
図示した本発明の実施例においては、開口部４は、ブレース６の縦方向から見て、ブレース６の下側壁２１がロゼット２に着座したときにフック７が開口部４を貫通する位置におけるフック７の幅よりも幾分長い。ブレース６をロゼット２上に着座させてくさび１２を例えばハンマーで叩いて下方に押すと、くさびの面１９は開口部４の内縁１０に着座し、くさび１２の面１６及び１９は共にくさび状に先細であるので、案内面１４，１５を介して面８を柱１の外壁に押圧し、ブレース６と柱１とを剛固に結合させる。この位置で、くさび面１６が案内面１４に着座する部分は、ロゼット２の開口部４の平面より下方にある。くさび１２の上部が案内面１５に押圧される部分１７は、ロゼット２より上方にある。
ブレース６の端部が上方から開口部４に導入されるとき、フック７の先端は開口部４内に入り、展開位置にあるくさび１２はブレース６から下方に突出し、溝１１と案内面１４，１５とで形成される案内に緩やかに着座する。これにより、突起２４はブレース６の下側壁２１の内面に着座可能となる。しかしながら、開口部２０はくさびがこの開口部を通って下方に落下するほど大きくない。
この展開位置で、くさび１２の下端部２８はフック７から離れて展開する。面８から最も遠く離れたくさび１２の側面３０の部分４１と、この着座面８（柱１との接合部として作用する）との間の離間距離２９は、この位置においては、ロゼット２の開口部４の対応する寸法４０（図１）よりも大きい。
次にブレース端部を開口部４内に下げると、フック７の下端部が開口部４内に入り、傾斜面９によって開口部４内を案内されて適正な位置に至る。これにより、その案内を移動可能なくさび１２が上方向に押し戻されるようにして、くさび１２の下端部２８が開口部４の外側のロゼット２の上側面に着座する。この動作は着座面８に対して鋭角に生じるので、離間距離２９は減少し、下端部２８は開口部４の上方領域に進入し、ロゼット２にはもはや着座しない。この位置から、くさび１２はそれ自体の重量により、又はバネ力により、くさび面１９が開口部４の内縁に着座するまで開口部４を通って下方に滑動し得る。その時くさび１２の下側半分は図２に示すような展開位置を執る。この展開位置においてはくさび１２の下側半分はフック７から離れて展開し、くさびの下端部２８又は部分４１の着座面８からの離間距離２９が開口部４の対応する内側寸法４０よりも大きくなる。これにより、くさび面１６は案内面１４に着座し、くさび面１７は案内面１５に着座する。くさびの角度は、この状態でも、くさび１２の下方への落下によるだけで、対向する面間でセルフロッキングが生じるような角度に選択される。このセルフロッキングの強さは、内縁１０が、ブレース６を持ち上げてもくさび１２をフック７に対して上方へ押し上げることができず、図２に示す展開位置を留まるような強さである。この展開位置では、離間距離２９が開口部４の対応する寸法４０よりも大きいので、ブレースの端部は開口部４を通過できない。くさび１２をハンマーで叩く等して案内に沿って上方に打ち上げてくさびの下方部分のフック７からの展開を克服したときに初めて（図２の一点鎖線で示した位置）、ブレース端部を再び、開口部４を通ってロゼット２から上方向に取り外すことが可能となる。
くさび１２は着座面８に対向する側にノーズ３１を有し、該ノーズ３１は必要に応じて、くさび１２を上方位置に保持するようにフック７の上縁部３２よりも上方に位置させることができる。
ブレース６に筋交い接続のために、孔４５（図２）又は溶接ボルトを設けてもよく、この孔又はボルトに、１つ又は２つの筋交い端部を取付けることが可能である。また、この種の２つの孔又はボルトを互いに近接して配置し、筋交いの端部を各孔またはボルトに取り付けできるようにしてもよい。
図５に示す本発明の実施例は、図１乃至４に示した実施例に対して、くさび３４が溝１１の内端面１３と反対側の側面の目穴２５および該面１３と対向する側面に配設されたノーズ３１を有しない点、又着座面８がその上端部及び下端部である程度突出しているので、足場継手を固定したときに、着座面８がその全長に亘って柱１の外面に着座せずに、上方及び下方部分でのみ着座する点において相異する。くさび３４は着座面８と反対側の側面にノーズ３２を有し、このノーズ３２は、図２の実施例における突起２４と同様に、下側開口部２０の縁部に重なりあうので、ノーズ３２によってくさび３４は開口部４より上方の下側壁２１の内側に着座可能である。従って、くさび３４は開口部２０から下方向に落下することはない。くさびはその下端部に目穴３３を有し、この目穴３３にピン２６を固定して、くさびが上側開口部２２から抜け出すのを防ぐことができる。
着座面８に対向するくさび３４の側面は湾曲し、この側面は溝１１の底部で同様に若干湾曲した案内面３５，３６と共働するものであり、静力学的に且つ製造面において幾つかの利点を有する。
くさび３４を駆動するときにくさび面３７，３８によって生み出されるくさび力は、図５の実施例において、くさび３４を曲げ応力にさらすことなく内縁１０からくさび３４を経由して直接面３６に伝達される。これは、ブレース端部を開口部４に導入したときに、面３６が開口部４と同一面上に位置されるからである。内縁１０の前面は、くさび面３８が可能な限り大きな面で内縁１０に着座するように、くさび面３８と対応して斜め方向に延びている。
両実施例において、この斜め方向の角度、これに隣接するくさび面３８の移動、及び展開の角度は、くさびを開口部４の縁部１０を介して押し戻すことができず、且つくさび１２，３４をこれのみに作用する力によってフック７に対して押し戻したときにのみ展開位置が反転するような値に選択される。
図５の実施例において、くさび３４はノーズ３２より上方に追加の凹部４３を有し、この凹部４３によって、図５に破線で示す位置にあるくさび３４が、開口部４４の縁上の又は他の縁上の上方位置に懸架され、くさび３４を案内位置に保持し得るようにされる。くさびを、この懸架位置から柱１側に向けられた力によって開口部４４の縁から解放するような十分な範囲に回動させ、下方に落下させ、部分的に又は完全に展開した位置に至らせることができる。
図示した各実施例において、ブレース６によって柱１に加えられた張力はフック７によりくさび１２，３４を経由して、柱１に剛固に結合された開口部４の内縁１０に伝達される。ブレース６によって柱１に加えられた圧縮力は、着座面８又はその一部を経由して柱に伝達される。ブレース６に上方向に作用する力は、展開位置において、くさびの開口部４の内縁１０への着座によってロゼット２に伝達される。これは、くさびが斜め方向の位置にあるために開口部の縁で保持されているからである。ブレース６に作用する下方向の力は、ブレース端部のロゼット２への着座によって柱１に伝達される。この力の伝達は、錬鉄製フック７の両側面の各々に、ロゼット２に着座する位置で片側面又は両側面で開口部４の側縁と重複し、追加の着座面を形成する拡張部を設けると、更に一層向上することができる。ブレース６によって柱１に上方向に加えられるトルクは、くさび１２，３４のフック７の溝１１の前面への着座、且つくさびの開口部４の内縁１０への着座によってロゼット２に伝達され、更に、着座面８のフック７の上端部への着座によって柱の着座面４２（図１）に伝達される。ブレース６を下方向に回動させるように作用するトルクは、フック７の下端の柱１の着座面４２への着座、且つくさび１２，３４の開口部４の内縁部への着座によってロゼット２に伝達され、くさびは溝１１の内側前面を介してフック７を支持する。
図示した本発明の各実施例において、面８から最も離隔している部分４１はくさび１２，３４の下端部に近い。離間距離２９は展開、従って展開角度、及び開口部４を介する上方向の動作に関してくさびの阻止動作を決定する。しかしながら、そのような面８から最も離隔した部分４１をくさび面１９又は３８の幾分更に上方に設けてもよい。その場合、この部分は下側面でストッパを構成し、このストッパは、フック７を開口部４に導入してくさびを元の導入位置に戻す際に開口部の縁に着座し、この導入位置において、この突起４１は開口部４を通過可能であり、くさび１２，３４は突起を形成する部分４１の着座面８からの離間距離が開口部４の縦方向の寸法４０よりも大きい展開位置に移動する。
図示した各実施例において、フック７とくさび１２，３４との間の展開は柱軸に対して半径方向である。しかしながら、この展開は他の実施例において、例えば柱の半径と交差するような別の方向であってもよい。重要な点は、フックを上方向から開口部に導入する際に、くさび又はくさびから延びる突起の下端部が開口部の縁又はロゼット面と突き合い、これによりくさびがフックに沿って開口部４を通過することができる導入位置にくさびを移動させることである。
図示した各実施例において、開口部４の柱に隣接する端部は、柱の外周上の着座面４２によって画成される。これは静力学と製造上の観点から確かな利点をもたらす。明らかに、開口部４を、ロゼット２内の柱１に隣接する側の壁部分によっても画成することもできる。
図５に示す本発明の実施例において、ノーズ３２とくさび３４の上縁部との間の距離は、ノーズ３２がブレース６の壁部２１の内面に着座する位置において（即ち、図５に示すようにくさび３４の上端部が開口部４４内にあるか或いは開口部よりも幾分上方向に延びた展開位置において）十分に大きく、くさびが図５において時計回りに回動することを防止する。
図６に示す本発明の実施例において、図２及び３の溝１１に対応する溝４６は、くさびが完全に上方に変位した位置にあるときにくさびの下端部４８が溝４６の幾分外側に位置するように形成される。この構成は図２及び５の実施例と異なる。これらの実施例では、くさびの下端部は、持ちあげられた位置（導入位置）では完全に溝内に入って見えなくなり、フックの傾斜面９が開口部４の縁に着座して縁を柱１方向に押しつける。しかしながら、この導入位置においては、一定量の遊びがフック７と開口部４の縁との間に残存し、および／又は柱１の着座面４２とフック７の着座面８との間には隙間が存在する。この遊び又は隙間はくさび１２又は３４が展開位置に堅く打ち込まれた際に消滅する。
図６に示す実施例において、フック７を開口部４に導入する際にくさび４７はフック７の溝４６内で上方向に押し上げられるが、上述の場合のように、持ち上げられた位置（導入位置）において溝４６内に入って完全に見えなくなることはなく、むしろその下端部は開口部４の縁５０の上側面４９上に留まる。これは、フック７の傾斜面５１がまだ開口部４の内端面５２に着座しているときにくさび４７の下端部が溝４６から幾分外側に変位しているからである。この傾斜面５１はその上方部分５３がくさび形ではなく、むしろフック７の着座面８にほぼ平行である。傾斜面５１の部分５３が開口部４の内側前面５２に着座するこの位置において、くさび４７の下端部４８がこの位置において溝４６から突出する寸法よりも大きい隙間５４が存在する。ブレース６は次に柱１側に押され、くさび４７の下端部４８が縁５０の面４９から解放され、開口部４よりも上に移動し、くさび４７はこの位置から開口部４を通って落下し展開位置に至ることができる。
各寸法は、くさび４７の下端部４８が完全に展開位置を執る前に着座面８が柱１の外面に着座していて、その時くさびを緊密に打ちつけることができるような値に選択することができる。しかしながら、各寸法を、ブレース６を柱１側に押したときにくさび４８の端部が開口４を通って落下して完全に展開した位置になるまでの動作が空間５４が完全に消失するより以前に行われるような値に選択することもできる。フックに加えられるハンマーの打撃により、図２及び５の実施例におけると同様にブレース端部が緊密に取り付けられる。くさび４７の形状は図面の比較で明らかなように、図２のくさび１２及び図５のくさび３４の形状とは相異する。しかしながら、図６の実施例においても、展開位置では、開口部４の内面５２によってくさび４７に加えられる力が溝４６の内側前面に直接伝達される。
柱１に対向する面５６はほぼ平坦で上半部に湾曲部を有し、この湾曲部に平坦な面５７が隣接する。くさび４７は、柱１と反対側の側面にノーズ５８を有し、該ノーズ５８はブレース端部とフック７が開口部４に挿入されない中立位置において、開口部２０の縁５９に着座し、この展開位置において、くさび４７が開口２０からぬけ落ちることを防止する。従って、各寸法は、この位置においてくさび４７の上端部６０が上側開口部２２から上方に突出するような値に選択される。
【図１】
0003957318.tif 000002
【図２】
0003957318.tif 000003
【図３】
0003957318.tif 000004
【図４】
0003957318.tif 000005
【図５】
0003957318.tif 000006
【図６】
0003957318.tif 000007